(57)【特許請求の範囲】
【請求項１】
マルチポールフレームスケジュールに従って、第１の方向における特定の伝送オポーチュニティ（transmission opportunity）の間に、送信局から通信されたデータを受信デバイスにより受信することと、
前記第１の方向における特定の伝送オポーチュニティの間に、前記受信デバイスにより前記送信局から逆方向グラントを受信することと、
前記マルチポールフレームスケジュールの少なくとも一部に基づいて、前記受信された逆方向グラントを前記受信デバイスで用いるか否かの判断に応答して、前記特定の伝送オポーチュニティの間に、前記受信デバイスから前記送信局へ、第２の方向におけるデータを送信することとを備える方法。
【請求項２】
さらに、前記受信デバイスで、通信チャネルを介してデータの受信及び送信を実行するべくスケジュールされる時間を識別することを備える請求項１の方法。
【請求項３】
前記マルチポールフレームスケジュールの少なくとも一部に基づいて、前記受信された逆方向グラントを前記受信デバイスで用いるか否かの判断に応答して、前記特定の伝送オポーチュニティの間に、前記受信デバイスから前記送信局へ、第２の方向におけるデータを送信することは、前記特定の伝送オポーチュニティに関連した残りのスケジュールされたタイムピリオドの少なくとも一部の間に前記受信した逆方向グラントを用いるか否かを前記受信デバイスで判断することを備える請求項１の方法。
【請求項４】
前記特定の伝送オポーチュニティに関連した残りのスケジュールされたタイムピリオドの少なくとも一部の間に前記受信した逆方向グラントを用いるか否かを判断することは、前記スケジュールされたタイムピリオドにおいて残りの時間の量、及びチャネルアクセスを得る上で前記第２の方向において送信されるべくデータの量の少なくとも１つを判断することを備える請求項３の方法。
【請求項５】
前記マルチポールフレームスケジュールは、複数のタイムピリオドのそれぞれに対し、該当する伝送オポーチュニティに関連し、該当する送信局の識別、該当する受信デバイスの識別、該当する開始時間、該当する継続期間の少なくとも１つを含む情報を含む請求項１の方法。
【請求項６】
前記マルチポールフレームスケジュールは、スケジューラから前記送信局へ、及び前記受信デバイスへ送信される請求項５の方法。
【請求項７】
前記スケジューラは、アクセスポイントを備える請求項６の方法。
【請求項８】
前記マルチポールフレームスケジュールは、ＳＣＨＥＤフレームである請求項５の方法。
【請求項９】
前記受信デバイスは、ユーザ端末を含み、前記送信局は他のユーザ端末を含む請求項１の方法。
【請求項１０】
前記受信デバイスはアクセスポイントを含み、前記送信局は送信ユーザ端末を含む請求項１の方法。
【請求項１１】
前記受信デバイスは受信ユーザ端末を含み、前記送信局はアクセスポイントを含む請求項１の方法。
【請求項１２】
前記逆方向グラントは、１ビットで示される請求項１の方法。
【請求項１３】
さらに、前記逆方向グラントのクォリティ・サービス（ＱｏＳ）クラスを示すべく前記送信局からの３ビットのデータを前記受信デバイスにより受信することを備える請求項１の方法。
【請求項１４】
無線通信システムにおいて逆方向グラントの利用を促進する装置であって、
マルチポールフレームスケジュールにおいて受信され、チャネルにアクセスすることに関係した少なくとも１つの伝送オポーチュニティに関連した情報を格納するメモリと、
前記メモリに接続され、前記マルチポールフレームスケジュールに従って、第１の方向における特定の伝送オポーチュニティ（transmission opportunity）の間に、送信局から通信されるデータを受信し、前記第１の方向における特定の伝送オポーチュニティの間に、前記送信局から逆方向グラントを受信し、前記マルチポールフレームスケジュールの少なくとも一部に基づいて、前記受信された逆方向グラントを前記装置で用いるか否かの判断に応答して、前記特定の伝送オポーチュニティの間に、前記送信局へ、第２の方向におけるデータを送信するプロセッサとを備える装置。
【請求項１５】
前記プロセッサは、さらに、前記装置で、通信チャネルを介してデータの受信及び送信を実行するべくスケジュールされる時間を識別する請求項１４の装置。
【請求項１６】
前記プロセッサは、前記マルチポールフレームスケジュールの少なくとも一部に基づいて、前記受信された逆方向グラントを前記装置で用いるか否かの判断に応答して、前記特定の伝送オポーチュニティの間に、前記送信局へ、前記第２の方向におけるデータを送信し、前記特定の伝送オポーチュニティに関連した残りのスケジュールされたタイムピリオドの少なくとも一部の間に前記受信した逆方向グラントを用いるか否かを判断する請求項１４の装置。
【請求項１７】
前記マルチポールフレームスケジュールは、複数のタイムピリオドのそれぞれに対し、該当する伝送オポーチュニティに関連し、該当する送信局の識別、該当する受信デバイスの識別、該当する開始時間、該当する継続期間の少なくとも１つを含む情報を含む請求項１４の装置。
【請求項１８】
前記マルチポールフレームスケジュールは、スケジューラから前記送信局へ、及び前記装置へ送信される請求項１７の装置。
【請求項１９】
前記スケジューラは、アクセスポイントを備える請求項１８の装置。
【請求項２０】
前記装置は、ユーザ端末を含み、前記送信局は他のユーザ端末を含む請求項１４の装置。
【請求項２１】
前記装置はアクセスポイントを含み、前記送信局は送信ユーザ端末を含む請求項１４の装置。
【請求項２２】
前記装置は受信ユーザ端末を含み、前記送信局はアクセスポイントを含む請求項１４の装置。
【請求項２３】
前記逆方向グラントは、１ビットで示される請求項１４の装置。
【請求項２４】
前記プロセッサは、さらに、前記逆方向グラントのクォリティ・サービス（ＱｏＳ）クラスを示すべく前記送信局からの３ビットのデータを受信する請求項１４の装置。
【請求項２５】
マルチポールフレームスケジュールに従って、第１の方向における特定の伝送オポーチュニティ（transmission opportunity）の間に、送信局から通信されたデータを受信する手段と、
前記第１の方向における特定の伝送オポーチュニティの間に、前記送信局から逆方向グラントを受信する手段と、
前記マルチポールフレームスケジュールの少なくとも一部に基づいて、前記受信された逆方向グラントを装置で用いるか否かの判断に応答して、前記特定の伝送オポーチュニティの間に、前記送信局へ、第２の方向におけるデータを送信する手段とを備える無線通信装置。
【請求項２６】
さらに、通信チャネルを介してデータの受信及び送信を実行するべくスケジュールされる前記装置における時間を識別することを備える請求項２５の装置。
【請求項２７】
前記マルチポールフレームスケジュールの少なくとも一部に基づいて、前記受信された逆方向グラントを前記装置で用いるか否かの判断に応答して、前記特定の伝送オポーチュニティの間に、前記送信局へ、第２の方向におけるデータを送信する手段は、前記特定の伝送オポーチュニティに関連した残りのスケジュールされたタイムピリオドの少なくとも一部の間に前記受信した逆方向グラントを用いるか否かを判断する手段を備える請求項２５の装置。
【請求項２８】
前記マルチポールフレームスケジュールは、複数のタイムピリオドのそれぞれに対し、該当する伝送オポーチュニティに関連し、該当する送信局の識別、該当する受信デバイスの識別、該当する開始時間、該当する継続期間の少なくとも１つを含む情報を含む請求項２５の装置。
【請求項２９】
前記マルチポールフレームスケジュールは、スケジューラから前記送信局へ、及び前記装置へ送信される請求項２８の装置。
【請求項３０】
前記スケジューラは、アクセスポイントを備える請求項２９の装置。
【請求項３１】
前記装置は、ユーザ端末を含み、前記送信局は他のユーザ端末を含む請求項２５の装置。
【請求項３２】
前記装置はアクセスポイントを含み、前記送信局は送信ユーザ端末を含む請求項２５の装置。
【請求項３３】
前記装置は受信ユーザ端末を含み、前記送信局はアクセスポイントを含む請求項２５の装置。
【請求項３４】
前記逆方向グラントは、１ビットで示される請求項２５の装置。
【請求項３５】
さらに、前記逆方向グラントのクォリティ・サービス（ＱｏＳ）クラスを示すべく前記送信局からの３ビットのデータを前記受信デバイスにより受信する手段を備える請求項２５の装置。
【請求項３６】
コンピュータが、
マルチポールフレームスケジュールに従って、第１の方向における特定の伝送オポーチュニティ（transmission opportunity）の間に、送信局から通信されるデータを受信デバイスにより受信し、
前記第１の方向における特定の伝送オポーチュニティの間に、前記受信デバイスにより前記送信局から逆方向グラントを受信し、
前記マルチポールフレームスケジュールの少なくとも一部に基づいて、前記受信された逆方向グラントを前記受信デバイスで用いるか否かの判断に応答して、前記特定の伝送オポーチュニティの間に、前記受信デバイスから前記送信局へ、第２の方向におけるデータを送信することができる指示を格納するコンピュータで読取可能な記録媒体。
【請求項３７】
前記受信デバイスで、通信チャネルを介してデータの受信及び送信を実行するべくスケジュールされる時間を識別する指示をさらに格納する請求項３６のコンピュータで読取可能な記録媒体。
【請求項３８】
前記コンピュータが、前記マルチポールフレームスケジュールの少なくとも一部に基づいて、前記受信された逆方向グラントを前記受信デバイスで用いるか否かの判断に応答して、前記特定の伝送オポーチュニティの間に、前記受信デバイスから前記送信局へ、第２の方向におけるデータを送信する指示は、前記特定の伝送オポーチュニティに関連した残りのスケジュールされたタイムピリオドの少なくとも一部の間に前記受信した逆方向グラントを用いるか否かを前記受信デバイスで判断する指示を備える請求項３６のコンピュータで読取可能な記録媒体。
【請求項３９】
前記マルチポールフレームスケジュールは、複数のタイムピリオドのそれぞれに対し、該当する伝送オポーチュニティに関連し、該当する送信局の識別、該当する受信デバイスの識別、該当する開始時間、該当する継続期間の少なくとも１つを含む情報を含む請求項３６のコンピュータで読取可能な記録媒体。
【請求項４０】
前記マルチポールフレームスケジュールは、スケジューラから前記送信局へ、及び前記受信デバイスへ送信される請求項３６のコンピュータで読取可能な記録媒体。
【請求項４１】
前記スケジューラは、アクセスポイントを備える請求項４０のコンピュータで読取可能な記録媒体。
【請求項４２】
前記受信デバイスは、ユーザ端末を含み、前記送信局は他のユーザ端末を含む請求項３６のコンピュータで読取可能な記録媒体。
【請求項４３】
前記受信デバイスはアクセスポイントを含み、前記送信局は送信ユーザ端末を含む請求項３６のコンピュータで読取可能な記録媒体。
【請求項４４】
前記受信デバイスは受信ユーザ端末を含み、前記送信局はアクセスポイントを含む請求項３６のコンピュータで読取可能な記録媒体。
【請求項４５】
前記逆方向グラントは、１ビットで示される請求項３６のコンピュータで読取可能な記録媒体。
【請求項４６】
さらに、前記逆方向グラントのクォリティ・サービス（ＱｏＳ）クラスを示すべく前記送信局からの３ビットのデータを前記受信デバイスにより受信する指示を備える請求項３６のコンピュータで読取可能な記録媒体。
【請求項４７】
マルチポールフレームスケジュールに従って、第１の方向における特定の伝送オポーチュニティ（transmission opportunity）の間に、送信局から受信デバイスへデータを送信することと、
前記第１の方向における特定の伝送オポーチュニティの間に、前記送信局により前記受信デバイスへ逆方向グラントを送信することと、
前記マルチポールフレームスケジュールの少なくとも一部に基づいて、前記送信された逆方向グラントを前記受信デバイスで用いるか否かの判断に応答して、前記特定の伝送オポーチュニティの間に、前記送信局により、前記受信デバイスから、第２の方向におけるデータを受信することとを備える方法。
【請求項４８】
さらに、前記逆方向グラントを送信するか否かを判断することを備える請求項４７の方法。
【請求項４９】
前記逆方向グラントを送信するか否かを判断することは、前記特定の伝送オポーチュニティに関連しスケジュールされたタイムピリオドにおいて残りの時間の量を決定することを備える請求項４８の方法。
【請求項５０】
さらに、前記マルチポールフレームスケジュールに基づいて、前記送信局が関連した伝送を終了したか否かを決定することを備える請求項４７の方法。
【請求項５１】
前記マルチポールフレームスケジュールは、複数のタイムピリオドのそれぞれに対し、該当する伝送オポーチュニティに関連し、該当する送信局の識別、該当する受信デバイスの識別、該当する開始時間、該当する継続期間の少なくとも１つを含む情報を含む請求項４７の方法。
【請求項５２】
前記マルチポールフレームスケジュールは、スケジューラから前記送信局へ、及び前記受信デバイスへ送信される請求項４７の方法。
【請求項５３】
前記受信デバイスは、ユーザ端末を含み、前記送信局は他のユーザ端末を含む請求項４７の方法。
【請求項５４】
前記受信デバイスはアクセスポイントを含み、前記送信局は送信ユーザ端末を含む請求項４７の方法。
【請求項５５】
前記受信デバイスは受信ユーザ端末を含み、前記送信局はアクセスポイントを含む請求項４７の方法。
【請求項５６】
前記逆方向グラントは、１ビットで示される請求項４７の方法。
【請求項５７】
さらに、前記逆方向グラントのクォリティ・サービス（ＱｏＳ）クラスを示すべく前記受信デバイスへ３ビットのデータを前記送信局により送信することを備える請求項４７の方法。
【請求項５８】
無線通信システムにおいて逆方向グラントの利用を促進する装置であって、
マルチポールフレームスケジュールにおいて受信され、チャネルにアクセスすることに関係した少なくとも１つの伝送オポーチュニティに関連した情報を格納するメモリと、
前記メモリに接続され、前記マルチポールフレームスケジュールに従って、第１の方向における特定の伝送オポーチュニティ（transmission opportunity）の間に、受信デバイスへ送信し、前記第１の方向における特定の伝送オポーチュニティの間に、逆方向グラントを送信し、前記マルチポールフレームスケジュールの少なくとも一部に基づいて、前記送信された逆方向グラントを前記受信デバイスで用いるか否かの判断に応答して、前記特定の伝送オポーチュニティの間に、前記受信デバイスから、第２の方向におけるデータを受信するプロセッサとを備える装置。
【請求項５９】
前記プロセッサは、さらに、前記逆方向グラントを送信するか否かを判断する請求項５８の装置。
【請求項６０】
前記プロセッサが前記逆方向グラントを送信するか否かを判断することは、前記特定の伝送オポーチュニティに関連しスケジュールされたタイムピリオドにおいて残りの時間の量を決定する請求項５９の装置。
【請求項６１】
前記プロセッサは、さらに、前記マルチポールフレームスケジュールに基づいて、関連した伝送を終了したか否かを決定することを備える請求項５８の装置。
【請求項６２】
前記マルチポールフレームスケジュールは、複数のタイムピリオドのそれぞれに対し、該当する伝送オポーチュニティに関連し、該当する送信局の識別、該当する受信デバイスの識別、該当する開始時間、該当する継続期間の少なくとも１つを含む情報を含む請求項５８の装置。
【請求項６３】
前記マルチポールフレームスケジュールは、スケジューラから前記装置へ、及び前記受信デバイスへ送信される請求項５８の装置。
【請求項６４】
前記受信デバイスは、ユーザ端末を含み、前記装置は他のユーザ端末を含む請求項５８の装置。
【請求項６５】
前記受信デバイスはアクセスポイントを含み、前記装置は送信ユーザ端末を含む請求項５８の装置。
【請求項６６】
前記受信デバイスは受信ユーザ端末を含み、前記装置はアクセスポイントを含む請求項５８の装置。
【請求項６７】
前記逆方向グラントは、１ビットで示される請求項５８の装置。
【請求項６８】
前記プロセッサは、さらに、前記逆方向グラントのクォリティ・サービス（ＱｏＳ）クラスを示すべく前記受信デバイスへ３ビットのデータを送信する請求項５８の装置。
【請求項６９】
マルチポールフレームスケジュールに従って、第１の方向における特定の伝送オポーチュニティ（transmission opportunity）の間に、受信デバイスへデータを送信する手段と、
前記第１の方向における特定の伝送オポーチュニティの間に、前記受信デバイスへ逆方向グラントを送信する手段と、
前記マルチポールフレームスケジュールの少なくとも一部に基づいて、前記送信された逆方向グラントを前記受信デバイスで用いるか否かの判断に応答して、前記特定の伝送オポーチュニティの間に、前記受信デバイスから、第２の方向におけるデータを受信する手段とを備える無線通信装置。
【請求項７０】
さらに、前記逆方向グラントを送信するか否かを判断する手段を備える請求項６９の装置。
【請求項７１】
前記逆方向グラントを送信するか否かを判断する手段は、前記特定の伝送オポーチュニティに関連しスケジュールされたタイムピリオドにおいて残りの時間の量を決定する手段を備える請求項７０の装置。
【請求項７２】
さらに、前記マルチポールフレームスケジュールに基づいて、関連した伝送を終了したか否かを決定する手段を備える請求項６９の装置。
【請求項７３】
前記マルチポールフレームスケジュールは、複数のタイムピリオドのそれぞれに対し、該当する伝送オポーチュニティに関連し、該当する送信局の識別、該当する受信デバイスの識別、該当する開始時間、該当する継続期間の少なくとも１つを含む情報を含む請求項６９の装置。
【請求項７４】
前記マルチポールフレームスケジュールは、スケジューラから前記装置へ、及び前記受信デバイスへ送信される請求項６９の装置。
【請求項７５】
前記受信デバイスは、ユーザ端末を含み、前記装置は他のユーザ端末を含む請求項６９の装置。
【請求項７６】
前記受信デバイスはアクセスポイントを含み、前記装置は送信ユーザ端末を含む請求項６９の装置。
【請求項７７】
前記受信デバイスは受信ユーザ端末を含み、前記装置はアクセスポイントを含む請求項６９の装置。
【請求項７８】
前記逆方向グラントは、１ビットで示される請求項６９の装置。
【請求項７９】
さらに、前記逆方向グラントのクォリティ・サービス（ＱｏＳ）クラスを示すべく前記受信デバイスへ３ビットのデータを送信する手段を備える請求項６９の装置。
【請求項８０】
コンピュータが、
マルチポールフレームスケジュールに従って、第１の方向における特定の伝送オポーチュニティ（transmission opportunity）の間に、送信局から受信デバイスへデータを送信し、
前記第１の方向における特定の伝送オポーチュニティの間に、前記送信局により前記受信デバイスへ逆方向グラントを送信し、
前記マルチポールフレームスケジュールの少なくとも一部に基づいて、前記送信された逆方向グラントを前記受信デバイスで用いるか否かの判断に応答して、前記特定の伝送オポーチュニティの間に、前記送信局により、前記受信デバイスから、第２の方向におけるデータを受信することができる指示を格納するコンピュータで読取可能な記録媒体。
【請求項８１】
前記コンピュータが、さらに、前記逆方向グラントを送信するか否かを判断する指示を格納する請求項８０のコンピュータで読取可能な記録媒体。
【請求項８２】
前記コンピュータが前記逆方向グラントを送信するか否かを判断する指示は、前記特定の伝送オポーチュニティに関連しスケジュールされたタイムピリオドにおいて残りの時間の量を決定する指示を備える請求項８１のコンピュータで読取可能な記録媒体。
【請求項８３】
前記コンピュータが、さらに、前記マルチポールフレームスケジュールに基づいて、前記送信局が関連した伝送を終了したか否かを決定する指示を格納する請求項８０のコンピュータで読取可能な記録媒体。
【請求項８４】
前記マルチポールフレームスケジュールは、複数のタイムピリオドのそれぞれに対し、該当する伝送オポーチュニティに関連し、該当する送信局の識別、該当する受信デバイスの識別、該当する開始時間、該当する継続期間の少なくとも１つを含む情報を含む請求項８０のコンピュータで読取可能な記録媒体。
【請求項８５】
前記マルチポールフレームスケジュールは、スケジューラから前記送信局へ、及び前記受信デバイスへ送信される請求項８０のコンピュータで読取可能な記録媒体。
【請求項８６】
前記受信デバイスは、ユーザ端末を含み、前記送信局は他のユーザ端末を含む請求項８０のコンピュータで読取可能な記録媒体。
【請求項８７】
前記受信デバイスはアクセスポイントを含み、前記送信局は送信ユーザ端末を含む請求項８０のコンピュータで読取可能な記録媒体。
【請求項８８】
前記受信デバイスは受信ユーザ端末を含み、前記送信局はアクセスポイントを含む請求項８０のコンピュータで読取可能な記録媒体。
【請求項８９】
前記逆方向グラントは、１ビットで示される請求項８０のコンピュータで読取可能な記録媒体。
【請求項９０】
前記コンピュータが、さらに、前記逆方向グラントのクォリティ・サービス（ＱｏＳ）クラスを示すべく前記受信デバイスへ３ビットのデータを前記送信局により送信する指示を格納する請求項８０のコンピュータで読取可能な記録媒体。
【請求項９１】
マルチポールフレームスケジュールにおいて受信され、チャネルにアクセスすることに関係した少なくとも１つの伝送オポーチュニティに関連した情報を格納するメモリと、
前記メモリに接続され、伝送オポーチュニティの間、局から逆方向グラントを受信し、前記マルチポールフレームスケジュールの少なくとも一部に基づいて、前記受信された逆方向グラントを装置で用いるか否かの判断に応答して、現時点の伝送オポーチュニティにおいてデータを受信する装置から現時点の伝送オポーチュニティにおいてデータを送信する装置に前記受信された逆方向グラントを活用するプロセッサとを備える装置。
【請求項９２】
前記プロセッサが、前記マルチポールフレームスケジュールの少なくとも一部に基づいて、前記受信された逆方向グラントを前記装置で用いるか否かの判断に応答して、装置に前記受信された逆方向グラントを活用することは、現時点の伝送オポーチュニティにおける残りの時間の量、及び前記装置により送信されるデータの量の少なくとも１以上に基づいて、前記データを受信する装置からデータを送信する装置へ変更するべく前記逆方向グラントを利用するか否かを決定することを備える請求項９１の装置。
【請求項９３】
前記プロセッサは、前記逆方向グラントを利用することを介して前記装置から前記局へデータを伝送させる請求項９１の装置。
【請求項９４】
マルチポールフレームスケジュールに従って、第１の方向における特定の伝送オポーチュニティ（transmission opportunity）の間に、送信局から通信されたデータを受信デバイスにより受信することは、マルチポールフレームスケジュールに従って、第１の方向における特定の伝送オポーチュニティ（transmission opportunity）に関連する特定のタイムピリオドの間に、送信局から通信されたデータを受信デバイスにより受信することであって、前記特定のタイムピリオドの終了に先立ち、前記データの伝送が完了される、前記受信することを備える請求項１の方法。
【発明の詳細な説明】
【技術分野】
【０００１】
次の記述は、一般的な無線通信に係り、特に無線通信システムにおける逆方向グラントを利用することに関する。
【背景技術】
【０００２】
無線通信システムは、様々なタイプの通信を提供するために広く展開される。例えば、音声および（または）データはそのような無線通信システムによって提供されてもよい。典型的な無線データシステムまたはネットワークは、１つ以上の共用リソースへの複数回のユーザー・アクセスを提供する。システムは、周波数分割多重（ＦＤＭ）、時分割多重（ＴＤＭ）、符号分割多重（ＣＤＭ）のような様々な多元接続技術を使用してもよい。
【０００３】
様々なタイプの通信を可能にする無線系の例は、ＩＥＥＥ  ８０２．１１規格（８０２．１１（ａ）（ｂ）、あるいは（ｇ））の１つ以上に応じたＷＬＡＮのような無線ローカルエリアネットワーク（ＷＬＡＮ）を含んでいる。さらに、ＩＥＥＥ  ８０２．１１（ｅ）は以前の８０２．１１の標準の欠点のうちのいくつかを改善するために導入されている。例えば、８０２．１１（ｅ）は、サービス改善のクオリティを提供している。
【０００４】
チャンネル・アクセスを提供するための技術を利用する従来の無線システムは、時間の所定期間中にデータを送信すべく特定の局（例えば、アクセスポイント、基地局、ユーザ端末、モバイル端末）を許可してもよい。しかしながら、局が割り付けられた伝送タイムピリオドの終了に先立ち、伝送が完了する場合、そのようなチャネル割当ては非能率的に使用する結果となる場合がある。したがって、そのようなスケジュールされた無線システムにおいて効率良くシステムおよび（または）方法を利用するための技術を必要としている。
【発明の概要】
【０００５】
本特許出願は、２００５年９月１２日に出願され、本明細書の譲受人に譲渡され、本明細書に参照によって明確に組み込まれる「SCHEDULING  WITH  REVERSE  DIRECTION  GRANT  IN  WIRELESS  COMMUNICATION  SYSTEMS」と題された仮出願６０／７１６，４４９号の優先権を主張する。
【０００６】
以下、実施例の基本的了解事項を提供するために、１つ以上の実施例の単純化されたサマリーを提示する。このサマリーはすべての熟考された実施例の広範囲な概観でなく、すべての実施例の鍵や重大なエレメントを識別しないいずれかあるいはすべての実施例の範囲を描写しないように意図される。その唯一の目的は、前として後で示されるより多くの詳述に単純化されたフォーム中の１つ以上の実施例のいくつかの概念を提示することである。
【０００７】
それの１つ以上の実施形態および対応する開示に従って、種々態様は、特定の局へのチャネルアクセスを割り付ける予定タイムピリオドに関連した通信チャネル帯域幅の使用を削減する接続に関して記述される。種々態様によれば、スケジュールされたチャネルアクセスに関して逆方向グラントを提供しかつ／または利用を促進するシステムおよび方法が記述される。局が、割り付けられた周期の終了に先立ってデータ伝送を終えた後、そのようなシステムおよび（または）方法は、未使用のチャネル時間の合計を緩和することができる。
【０００８】
関連する態様によれば、無線通信の方法は、伝送オポーチュニティ(opportunities)に関連したタイムピリオド(time periods)の数に対する伝送をスケジュールするマルチポールフレームを受信することと、前記マルチポールフレームに従って第１の方向における特定の伝送オポーチュニティに関連しスケジュールされたタイムピリオドのうち特定のタイムピリオドの間にデータを通信することと、前記第１の方向における特定の伝送オポーチュニティに関連した特定のスケジュールタイムピリオドの間に、データを送信すべく受信機を有効にする逆方向グラントを送信することと、前記特定の伝送オポーチュニティに関連した特定のスケジュールタイムピリオドの間に第２の方向と通信されるデータを受信することとを備えることができる。前記方法は、さらに、逆方向グラントを送信するか否かを判断すること、特定の伝送オポーチュニティに関連した前記特定のスケジュールタイムピリオドにおいて残りの時間の合計を決定すること、及び／または関連した伝送が終了した前記マルチポールフレーム中の送信機であることを示す局であるかを決定することを備えることができる。前記方法は、特定の伝送オポーチュニティに関連した前記特定のスケジュールタイムピリオドの残りのタイムピリオドの少なくとも一部の間に、受信された逆方向グラントを用いるか否かを判断すること、前記特定のスケジュールタイムピリオドにおいて残りの時間の合計、及びチャネルアクセスを得る第２の方向において送信されたデータの合計の少なくとも１つを判断すること、及び／またはタイムピリオドの数のそれぞれに対し、該当する伝送オポーチュニティに関連し、送信局の識別、受信局の識別、開始時間、継続期間の少なくとも１つを含む情報を示すフレームである前記マルチポールフレームを生成することを備えることを備えることができる。
【０００９】
もう１つの態様は、無線通信システムにおいて逆方向グラントの利用を促進する装置に関し、チャネルにアクセスすることに関係した少なくとも１つの伝送オポーチュニティに関連した情報を格納するメモリと、前記メモリに接続され、前記装置から送信された情報に基づき、前記情報に従い前記装置に割り当てられた伝送オポーチュニティの間に逆方向グラントを送信するプロセッサとを備えることができる。前記プロセッサは、さらに、データを受信及び送信の少なくとも１つを行う装置における時間を決定すべくチャネルアクセス識別子を利用すること、前記装置を少なくとも１つの他の装置に同期させるべく前記チャネルアクセス識別子を利用すること、及び／または受信機及び送信機の少なくとも１つに識別されない装置において、スリープモードで作動すべくチャネルアクセス識別子を利用することを備えることができる。前記プロセッサは、またさらに、受信した逆方向グラントを利用し、現時点の伝送オポーチュニティにおける受信データから現時点の伝送オポーチュニティにおける送信データへ前記装置を変更すること、現時点の伝送オポーチュニティにおける残りの時間の合計、及び前記装置により送信されるデータの合計の少なくとも１以上に基づいて、前記逆方向グラントを利用するか否か、前記受信データから送信データへ前記装置を変更するか否かを決定することを備えることができる。前記プロセッサは、前記装置が割り当てられた継続時間の終了に先立ち、前記伝送オポーチュニティの間に送信を完了する時、前記逆方向グラントを提供すること、及び／または前記伝送オポーチュニティにおける残りの時間の合計の少なくとも一部分に基づいて逆方向グラントを送信するか否かを決定することを備えることができる。
【００１０】
また、もう１つの態様は、無線通信装置に関し、スケジュールに従い第１の方向における特定の伝送オポーチュニティの間に通信されるデータを受信する手段と、前記第１の方向における前記特定の伝送オポーチュニティの間に逆方向グラントを受信する手段と、前記受信した逆方向グラントを用いることにより前記特定の伝送オポーチュニティの間に第２の方向へデータを送信する手段とを備える。前記装置は、さらに、前記装置が通信チャネルを介してデータを受信及び送信の少なくとも１つをスケジュールする時間を識別する手段、前記装置を異種の装置に同期させる手段、及び／または前記装置が通信チャネルを介して通信していないとき、伝送オポーチュニティの間、電力消費を減らすスリープモードを用いるよう装置を可動する手段を備えることができる。さらに、前記装置は、前記特定の伝送オポーチュニティの残りの少なくとも一部の間に、受信した逆方向グラントを用いるか否かを決定する手段を備えることができる。
【００１１】
また、さらなる態様は、コンピュータが、チャネルアクセスに対するスケジュールに従って第１の方向における伝送オポーチュニティの間にデータを通信し、逆方向グラントを送信するか否かを判断し、前記伝送オポーチュニティの間に前記第１の方向における受信機に対し逆方向グラントを送信し、前記伝送オポーチュニティの間に第２の方向における前記逆方向グラントの受信機からデータを受信することができる指示を格納するコンピュータ読取可能媒体に関する。前記コンピュータ読取可能媒体は、さらに、異種の装置へのチャネルアクセスを割り当てる伝送オポーチュニティの間にスリープモードを用いる指示、複数のタイムピリオドのそれぞれに対し該当する伝送オポーチュニティに関連する送信機、受信機、開始時間、継続期間の少なくとも１つに関連されるデータを備えるフレームを含むマルチポールフレームを生成することにより、多くの伝送オポーチュニティをスケジュールする指示を備えることができる。さらに、前記コンピュータ読取可能媒体は、トークン(token)が渡されるオーダー（order）を生成することにより、多くの伝送オポーチュニティをスケジュールする指示、及び／または前記スケジュールにより送信機として示される関連した局を識別する指示をさらに備える。
【００１２】
先で関連づけられた終了の完成に、１つ以上の実施形態は請求項に記述され特に指摘されて、特徴を以下に完全に含む。次の記述および付加された図面は、１つ以上の実施形態のある実例となる態様を詳細に述べる。しかしながら、これらの実施形態は表示し、様々な実施例の法則が使用されてもよい少数のいろいろな状態および記述された実施例は、そのような態様およびそれらの等価物をすべて含むように意図される。
【図面の簡単な説明】
【００１３】
【図１】図１は、ここに述べられた種々実施形態に従う無線通信システムの実例である。
【図２】図２は、種々実施形態に従う通信チャネルにアクセスすべくスケジュールされた時刻に関して逆方向グラントを使用するシステムの実例である。
【図３】図３は、チャネルアクセスをスケジュールするために利用されてもよいマルチポールの実例である。
【図４】図４は、チャネル・アクセス用の異種の技術でスケジュールされたアクセスピリオド（ＳＣＡＰ）の利用を実証する例の実例である。
【図５】図５は、種々実施形態に従うＳＣＨＥＤフレームの例の実例である。
【図６】図６は、種々実施形態に従うＳＣＨＥＤメッセージの例の実例である。
【図７】図７は、種々実施形態に従って逆方向グラントで利用される場合、ＳＣＡＰの例の実例である。
【図８】図８は、１つ以上の実施形態に従って、無線通信システム中の衰弱したチャネル帯域幅の量を減らすことを容易にするためにチャネルにアクセスし、割り付けられたピリオド内の逆方向グラントを利用するための方法論を例証する。
【図９】図９は、ここに記述された複数の実施形態に従って、通信チャネルへのスケジュールされたアクセスに関して逆方向グラントを提供するための方法論の実例である。
【図１０】図１０は、種々実施形態に従ってスケジュールされたチャネル・アセクス・ピリオドに逆方向グラントを費やすための方法論の実例である。
【図１１】図１１は、ここに述べられた１つ以上の実施形態に従ってスケジュールされたチャネル・アクセス・ピリオドと協働した逆方向グラントを生成しかつ／または利用することを容易にするユーザ装置の実例である。
【図１２】図１２は、チャネル・アクセスをスケジュールしおよび（または）種々実施形態に従って無線通信システムにおいて不用のチャネル帯域幅を縮小する逆方向グラントの利用を容易にするシステムの実例である。
【図１３】図１３は、ここに記述された様々なシステムおよび方法と共に使用することができる無線ネットワーク環境の実例である。
【発明を実施するための形態】
【００１４】
様々な実施形態は、図面に関して記述され、参照符号は、エレメントを参照するために使用される。次の記述では、説明の目的のために、多数の特定の詳細は１つ以上の実施形態についての完全な理解を提供するために明白に述べられる。しかし、そのような実施形態がそうかもしれないことはこれらの特定の詳細なしで実行した。他のインスタンスでは、さらに有名な構造およびデバイスは１つ以上の実施形態について記述するためにブロック図の形で示される。
【００１５】
更に、様々な実施形態は、加入者局に関してここに記述される。加入者局も、システム、加入者ユニット、移動局、移動体、遠隔ステーション、アクセスポイント、遠隔端末装置、アクセス・ターミナル、ユーザ端末、ユーザエージェント、ユーザ装置あるいはユーザ機器と呼ぶことができる。加入者局は、携帯電話、コードレス電話機、セッションイニシエーションプロトコル（ＳＩＰ）電話、無線加入回線（ＷＬＬ）ステーション、携帯情報端末（ＰＤＡ）、無線接続能力があるハンドヘルド装置、計算装置あるいは無線モデムに接続された他の制御演算装置かもしれない。さらに、８０２．１１の用語、アクセスポイント、ユーザ端末などに従って、ここにステーションまたはＳＴＡと呼ばれる。
【００１６】
さらに、ここに記述された種々実施形態または特徴は、方法（エンジニアリング・テクニック）、装置あるいは製品を使用する標準プログラミングとしてインプリメントされてもよい。ここに使用されるような用語「製品」は、任意のコンピュータ判読可能なデバイス、キャリアあるいはメディアからアクセス可能なコンピュータプログラムを包含するように意図される。例えば、コンピュータ判読可能なメディアは含むことができるが、磁気記憶装置デバイスに制限されていない、例えばハードディスク、フロッピー（登録商標）ディスク、磁気ストライプ、光ディスク、コンパクトディスク（ＣＤ）、デジタル用途の広いディスク（ＤＶＤ）…、スマート・カードおよび例えばフラッシュメモリ装置、ＥＰＲＯＭ、カード、スティック（鍵ドライブ…）。さらに、ここに記述された様々な記憶媒体は１つ以上のデバイスおよび（または）情報を格納するための他の機械可読のメディアを示すことができる。用語「機械可読媒体」は制限されずに、含み、かつ、または、インストラクションおよび（または）データを伴って、無線チャンネル、およびストリングに有能な様々な他のメディアを含むことができる。
【００１７】
従来からあるスケジュールされた時分割無線通信システムは、通信チャネルの不経済な利用に関係しているかもしれない。例えば、特定の局は、通信チャネル上の特定の時間中にデータ伝送を許されてもよい。しかしながら、局が割り付けられた周期の終了に先立ち、伝送が完了する場合、この周期にデータ伝送チャンネルにアクセス可能な異種の局が典型的にないので、チャネルに関連したリソースは浪費される。したがって、スケジュールされたチャンネル・ローカル番組放送時間帯と共同して通信チャネル浪費を緩和するために逆方向グラント（ＲＤＧ）を提供することを促進することは望ましくなる。割り付けられた周期の残りのチャンネルにアクセスするために、逆方向グラントは得る局によって利用されてもよい。
【００１８】
今、図１を参照すると、無線通信システム１００はここに述べられた種々実施形態に従って例証される。Ｎが任意の陽性の整数かもしれない場合、システム１００は１つ以上のユーザ端末（ＵＴ）１０６Ａ−Ｎに通信で接続されるアクセスポイント（ＡＰ）１０４を含んでいる。８０２．１１の用語に従って、ＡＰ１０４およびＵＴ１０６Ａ−Ｎもここに局またはＳＴＡと呼ばれる。ＡＰ１０４およびＵＴ１０６Ａ−Ｎは、無線ローカルエリアネットワーク（ＷＬＡＮ）１２０によって通信する。１つ以上の実施形態によれば、ＷＬＡＮ１２０は、高速ＭＩＭＯ  ＯＦＤＭ方式である。しかしながら、ＷＬＡＮ１２０は任意の無線ＬＡＮかもしれない。アクセスポイント１０４はネットワーク１０２によって、外部デバイスあるいはプロセスの任意の数と通信する。ネットワーク１０２は、インターネット、イントラネットあるいは他の有線ネットワークあるいは無線ネットワーク、または光学ネットワークであってもよい。コネクション１１０は、ネットワーク１０２からアクセスポイント１０４への信号を伝送する。デバイスまたはプロセスは、ネットワーク１０２、あるいはＷＬＡＮ１２０上のＵＴ１０６Ａ−Ｎ（あるいは接続によってその上に）として接続されてもよい。ネットワーク１０２あるいはＷＬＡＮ１２０のいずれかに接続されてもよいデバイスの例は、電話、パーソナル・デジタル・アシスタント（ＰＤＡ）、様々なタイプ（ラップトップ、パソコン、ワークステーション（任意のタイプのターミナル））のコンピュータ、ＨＤＴＶのようなメディア・デバイス、ＤＶＤプレーヤー、無線スピーカ、カメラ、カムコーダ、ウェブカメラおよび事実上他のタイプのデータ・デバイスを含んでいる。プロセスは、音声、ビデオ、データ通信などを含んでいてもよい。各種データストリームは、変化のある伝送要求を持っていてもよい。それはクオリティ・オブ・サービス（ＱｏＳ）技術の使用により提供されてもよい。
【００１９】
システム１００は、ＡＰ１０４を中心に集めて展開してもよい。全ＵＴ１０６Ａ−Ｎは例によるＡＰ１０４と通信してもよい。さらに、２以上のＵＴ１０６Ａ−Ｎは、（８０２．１１（ｅ）に関連した直接リンク配列（ＤＬＳ）を使用するなど）例えばピアツーピア通信によって直接通信してもよい。アクセスはＡＰ１０４及び（または）アドホック（例えば、コンテンツベース）によって管理されてもよい。
【００２０】
種々の実施形態に従って、逆方向グラントは、システム１００のような無線通信システムに関して使用することができる。逆方向グラントは、多くのタイムピリオド、特定の局に関連したタイムピリオドそれぞれに対しチャネルアクセスを割り付けるスケジュールで利用することができる。特定の局は、特定の第２の局（例えば、ＡＰ１０４、ＵＴ１０６Ａ−Ｎの１つなど）へ通信チャネルを介してデータを送信する。マルチポールフレームは、対応するマルチポール周期に対し伝送のスケジュールを定義するために利用されてもよい。マルチポール周期中のスケジュールされた伝送は、ＡＰ（例えばＡＰ１０４）からＳＴＡ（例えばＵＴ１０６Ａ−Ｎ）へ，ＳＴＡからＡＴへの伝送を含む。例えば、マルチポールフレームは、ＳＣＨＥＤフレームであってもよい。ＳＣＨＥＤフレームは、多重ダウンリンク、多重アップリンク、及び（または）局（例えば、ＡＰ１０４、ＵＴ１０６Ａ−Ｎの１つなど）へ提供される多重ダイレクトリンクＳＴＡ−ＳＴＡ伝送を定義する。ＳＣＨＥＤフレームは、このように多くの通信期間をスケジュールする単一フレームであってもよい。ＳＣＨＥＤフレームは、第１の局が送信機であり、第２の局が受信機であり、開始時間、スケジュールされた周期それぞれに対するチャネルへのアクセスの継続期間を示してもよい。本開示の実施形態は、ＳＣＨＥＤフレームに使用するために制限されていないことを考慮する。例えば、スケジューリングは、マルチポール、合併されたポール、またはオーダで意見が一致した局間で渡されるトークンの利用を有効にすることができる。従って、本開示の実施形態の範囲内でチャネルアクセスに関連してスケジュールするどれでもあることは認識されることになっている。
【００２１】
送信機として識別された局は、割り付けられたチャネルアクセス持続期間の終了に先立って、チャネル（例えばＷＬＡＮ１２０）上のデータ送信を終了してもよい。従って、送信機は、受信機に逆方向グラントを供給することができ、それによって、受信機はチャネル（例えばＷＬＡＮ１２０）上でデータを送信することが可能になる。逆方向グラントを得る受信機は、持続期間の残りの部分中に送信機に例えばその後のデータを送信することができる。別の図示によれば、送信機は、ダイレクトリンクＳＴＡ−ＳＴＡ通信（例えば、送信すべくスケジュールされたＵＴ１０６Ａ及び受信すべくスケジュールされたＵＴ１０６Ｎ）用のスケジュールされたピリオドの間のように、ＡＰ１０４に逆方向グラントを供給することができる。したがって、ＡＰ１０４は、割り付けられたタイムピリオドの残りの間に、チャネル（例えば、ＷＬＡＮ１２０）を介して送信機（例えば、ＵＴ１０６Ａ）と通信することができる。
【００２２】
ＵＴ１０６Ａ−ＮおよびＡＰ１０４は、受信及び（または）生成されたマルチポールフレーム（及び（または）ＳＣＨＥＤフレーム、合併されたポール、スケジュール、スケジュールに従って渡されたトークンなど）に従って個々のスケジュールされた時間でデータを送信及び（または）受信できるようにすべく同期クロックを使用してもよい。マルチポールフレームは、割り当てられた時間の間に、局に対しチャネルへアクセスさせることを可能にし、送信局がチャネルを介してデータを送信できる時間の合計を提供する。スケジュールは、伝送オポーチュニティ（ＴＸＯＰ）が開始時および終了時に関する各送信機ＳＴＡへの通知を供給する。したがって、送信局は、割り付けられたタイムスロットに入るデータの合計量を送信することができる。さらに、スケジュールは、さらにトラヒックを受信するよう待機する受信機ＳＴＡに通知してもよい。
【００２３】
８０２．１１ｅは、ＴＸＯＰの概念を提供する。データの単一フレームを送信すべくチャネルにアクセスする代わりに、ＳＴＡは、その期間内に適合する多くのフレームとして送信するためにチャネルを使用することが許される期間を提供される。ＴＸＯＰは、チャネルアクセスに関連したオーバヘッドを減少する。例えば、待機時間と衝突は、増強され分配されたチャネルアクセス（ＥＤＣＡ）に関して減少される。また、ポーリング・オーバヘッドはＨＣＦコントロールド・チャンネル・アクセス（ＨＣＣＡ）に関して緩和される。
【００２４】
さらに例によると、マルチポールフレームは、ＵＴ１０６Ａが第１タイムピリオド（例えば、第１のポール）に関連した時における送信機であり、ＡＰ１０４が第１タイムピリオドに関連した時における受信機であることを示している。ＵＴ１０６Ａは割り付けられた時間におけるＴＸＯＰを備えている。ＴＸＯＰの間に、ＵＴ１０６Ａは、ＡＰ１０４にデータの合計を送信してもよい。例えば、ＵＴ１０６Ａは、ＡＰ１０４に短いフレーム間間隔（ＳＩＦＳ）によって分離されたＭＡＣプロトコルデータユニット（ＭＰＤＵ）の数も送信してもよい。さらにあるいは、ＵＴ１０６Ａは総計ＭＤＰＵになり、ＭＰＤＵを分離するＳＩＦＳを削除し、凝集のＭＰＤＵ（Ａ−ＭＰＤＵ）を送信してもよい。さらに、ブロックＡＣＫリクエストは、ＵＴ１０６Ａによって送信することができ、及び（または）総計Ａ−ＭＰＤＵの一部としてなることができる。マルチポールフレームが通信チャネル上の送信データにＵＴ１０６Ａのための時間の量を割り付ける場合、伝送を終えるＵＴ１０６Ａの後に続くＴＸＯＰの残り時間に、ＵＴ１０６ＡはＡＰ１０４に逆方向グラントを送信してもよい。ＡＰ１０４は、ＴＸＯＰ内の残存時間用のＵＴ１０６Ａに、通信チャネル上の送信データへの逆方向グラントを例えば使用してもよい。逆方向グラントの受信に際して、ＡＰ１０４は、割り付けられた周期および（または）送信されることになっているＡＰ１０４に関連したバッファに格納されたデータの残存時間を評価してもよい。この評価の少なくとも一部に基づいて、ＡＰ１０４はチャネルを介してデータを伝送すべく逆方向グラントを利用し及び（または）利用しなくてもよい。この例が単に図示目的向けであり、そして本開示の実施形態がそのように制限されていないことは認識されている。
【００２５】
例えば、実施形態は、無線ＬＡＮ（あるいは新しい伝送技術を使用する同様のアプリケーション）に対し非常に高レートの物理レイヤーと協働して効率的な動作を支援するようここに示される。実施形態の様々な例は、既知のＷＬＡＮシステムの単純性および強健さを保存する。それらの例は８０２．１１（ａ−ｅ）で見つかる。様々な実施例の利点は、そのような既知システムとの後方への互換性を維持する間に達成されてもよい（下記の記述では、８０２．１１のシステムが例えば既知システムと評されることに注意してください。）。それは、さらに、ここに議論された改善の１つ以上は代替システムと標準と互換性をもつことに注目されるべきである。
【００２６】
図２に変わって、図示は、種々実施形態に従って通信チャネルにアクセスするためにスケジュールされた時間に関して逆方向グラントを使用するシステム２００である。システム２００は、アクセスポイント（ＡＰ）２０４、第１のユーザ端末（ＵＴ）２０４および第２のユーザ端末（ＵＴ）２０６を備えている。システム２００が追加するＡＰおよび（または）ＵＴの数も備えてもよいことが認識されることになっている。ＡＰ２０４およびＵＴ２０４−２０６は無線ローカルエリアネットワーク（ＷＬＡＮ）２０８を介して通信する。ＡＰ２０４は、ＷＬＡＮ２０８へのアクセスに関連したＵＴ２０４−２０６にスケジュールを提供してもよい。例えば、マルチポールフレーム（例えばＳＣＨＥＤフレーム）は送信されてもよい。オーダはトークンが局間に通過することを予定されてもよい。
【００２７】
例によれば、スケジュールは、特定の時間セグメント中に、ＵＴ２０４が送信機で、ＵＴ２０６が受信機であることを示してもよい。したがって、ＵＴ２０４およびＵＴ２０６は、ＷＬＡＮ２０８に関係しているコネクション２１０によって通信する。ＵＴ２０４が、スケジュールによって提供されるような割り付けられた時間セグメントの終了に先立ってデータの伝送を終える場合、ＵＴ２０４はコネクション２１０によってＵＴ２０６へ逆方向グラントを送信してもよい。ＵＴ２０６は、ＷＬＡＮ２０８によって送信データへの逆方向グラントを利用してもよい。例えば、ＵＴ２０６は、割り付けられた時間セグメントの残りの部分中に、ＵＴ２０４および（または）ＡＰ２０２へデータを送信してもよい。図示では、ＵＴ２０４およびＵＴ２０６（示されない）以外の異種のＵＴは、特にこの時間セグメント中にスリーピングであってもよい。
【００２８】
図３を参照すると、図示は、チャネルアクセスをスケジュールするために利用されてもよいマルチポールフレーム３００（例えば合併されたポール）である。マルチポールフレーム３００は、８０２．１１ｎによって提供されてもよい。マルチポールフレーム３００は、同期データを含んでもよいヘッダ３１０を備えている。マルチポールフレーム３００は、さらにポール（例えば、ポール１  ３２０、ポール２  ３３０、ポールＮ  ３４０、Ｎが任意の陽性の整数である）の任意の数のシーケンスを備えてもよいポール１  ３２０、ポール２  ３３０、ポールＮ  ３４０、Ｎが任意の陽性の整数である。ポール（例えば、ポール１）の各々は、送信機として局を識別するデータ３５０、受信機として異種の局を識別するデータ３６０、開始時刻を示すデータ３７０、及び持続期間を示すデータ３８０を備えていてもよい。
【００２９】
種々実施形態によれば、マルチポールフレーム３００は局へ送信される。また、局はマルチポールフレーム３００を受信するべく稼動している。局はそれぞれ、局が受信マルチポールフレーム３００の調査により受信機または送信機である時を識別し格納してもよい。時勢の間、局が受信機または送信機でない時間の間、局はスリープモードに入ってもよい。したがって、局に関連した電力消費は減少される。さらに、ポーリング・オーバヘッドは、ポール（例えば、ポール３２０−３４０）のシーケンスを備えたヘッダー３１０の利用によって緩和される。
【００３０】
図４に変わって、図示は、チャネルアクセス用の異種の技術でスケジュールされたアクセスピリオド（ＳＣＡＰ）の利用を実証する例である。ビーコン間隔（例えば２つのビーコン４０２の間）内に、いくつかのチャネルアクセス法は点在することができる。例えば、ＥＤＣＡ、ＨＣＣＡおよび（または）ＳＣＨＥＤは実行し得る。８０２．１１ｅは伝送オポーチュニティ（ＴＸＯＰ）を導入した。利用効率のために、ＳＴＡがＨＣＦコントロールド・チャネル・アクセス（ＨＣＣＡ）中で、増強された分配されたチャンネル・アクセス（ＥＤＣＡ）、あるいは獲得されたアクセスによってミディアムを得る場合、ＳＴＡは単一フレームを越えるものを送信することを許されてもよい。それはＴＸＯＰと呼ばれる。
【００３１】
ビーコン間隔（例えば、ビーコン４０２）の間に、ＡＰは適応して、ＥＤＣＡのコンテンションベースのアクセス（例えば、ＥＤＣＡ４０４）、アクセス位相（ＣＡＰ）（例えばＣＰＡ４０６）をコントロールした８０２．１１ｅ、そして、スケジュールされたアクセスピリオド（ＳＣＡＰ）（例えば、ＳＣＡＰ４０８）の持続期間を埋め込む柔軟性を持っている。ＥＤＣＡ４０４は１つ以上のＥＤＣＡ  ＴＸＯＰ４１０を含んでいてもよい。ＥＤＣＡ  ＴＸＯＰ  ４１０に、得るＳＴＡは、１つ以上のフレームを送信することを許されてもよい。各ＥＤＣＡ  ＴＸＯＰ  ４１０の限界長さはトラフィック・クラスに依存し、ＡＰによって確立されてもよい。ＳＴＡは、関連するインターフレーム間隔に対応する時間の少なくとも１つの量には使用されていないためにチャンネルを感じた後に、チャンネルへのアクセスを獲得してもよい。
【００３２】
ＣＡＰ４０６（それはＨＣＣＡに関係しているかもしれない）は境界のあるピリオドで、一連のＨＣＣＡ  ＴＸＯＰ  ４１２の連結により形成されてもよい。ＡＰは、ＡＰが関連するＳＴＡへの取得されたアクセスを提供することができるコンテンション自由時間（ＣＦＰ）を確立してもよい。コンテンションなしのポール（すなわちＣＦポール）またはポール４１４は、ＡＰによって送信される。また、取得されたＳＴＡからの伝送は続く。８０２．１１ｅに関連した直接のリンクセットアップ（ＤＬＳ）は、ＳＴＡに対し基本サービスセット（ＢＳＳ）を備えた他の目的地のＳＴＡへフレームを直接転送させる。ＡＰは取得されたＴＸＯＰを、ＳＴＡの間のフレームのこの直接転写に利用可能にしてもよい。さらに、取得されたアクセス中に、取得されたＳＴＡからのフレームの目的地はＡＰかもしれない。
【００３３】
柔軟で、非常に効率的で、低い潜時を許すＨＣＣＡおよびＥＤＣＡの外延が、ＭＩＭＯフィジカルレイヤー（ＰＨＹ）によって可能にされた高いデータ率のオペレーションにふさわしいオペレーションをスケジュールしたとともに、適応性のある調整機能（ＡＣＦ）が利用されてもよい。ＳＣＡＰ４０８の一部としてＳＣＨＥＤメッセージ４１６を使用して、ＡＰは、同時にスケジュールされたアクセスピリオド（ＳＣＡＰ）として知られている周期にわたる１つ以上のＡＰ−ＳＴＡ、ＳＴＡ−ＡＰおよびＳＴＡ−ＳＴＡ  ＴＸＯＰをスケジュールしてもよい。ＳＣＡＰの最大に許された値は変わってもよい。また、実施形態によれば、４ミリセカンドがあってもよい。別の例に準ずるので、ＳＣＡＰの極大値は２．０４８ミリセカンドかもしれない。しかしながら、本開示の実施形態はそのように制限されていない。
【００３４】
ＭＩＭＯ  ＳＴＡはＳＣＡＰ境界に従う。ＳＣＡＰ４０８の中で送信するべき最後のＳＴＡは、その割り付けられたＴＸＯＰの終了以内に、その伝送を終了する。ＭＩＭＯ  ＳＴＡは、スケジュールされたＴＸＯＰ境界に従い、割り当てられたＴＸＯＰの終了に先立ち、それらの送信を完了する。これは、衝突の機会を減らし、後のスケジュールされたＳＴＡが使用されていないチャネルを意識することなく、そのＴＸＯＰを始めることを可能にする。
【００３５】
ＡＰは、ＳＣＨＥＤ受信誤りからの回復のための下記手順を使用してもよい。ＳＴＡがＳＣＨＥＤメッセージをデコードすることができなければ、そのＴＸＯＰを利用することができないだろう。スケジュールされたＴＸＯＰが割り当てられた開始時刻で始まらない場合、ＡＰは、未使用のスケジュールされたＴＸＯＰのスタートの後にＰＩＦＳで送信することにより、回復を始めてもよい。ＡＰは、ＣＡＰとして未使用のスケジュールされたＴＸＯＰの周期を使用してもよい。ＣＡＰに、ＡＰは、１つ以上のＳＴＡ（例えば、稼動しているＳＴＡ）に送信し、スケジュールされたＴＸＯＰあるいは別のＳＴＡを逃したＳＴＡを取得してもよい。ＣＡＰは、次のスケジュールされたＴＸＯＰに先立って終了する。スケジュールされたＴＸＯＰが初期に終了する場合、同じ手順も使用されてもよい。ＡＰは、スケジュールされたＴＸＯＰの中の最後の伝送の終了の後にＰＩＦＳで送信することにより、回復を始めてもよい。ＡＰは、ＣＡＰとしてスケジュールされたＴＸＯＰの未使用の周期を使用してもよい。
【００３６】
図５に変わって、図示は、種々実施形態に従ってＳＣＨＥＤフレーム５００の例である。ＳＣＨＥＤメッセージ５００は、特定のＳＣＨＥＤの物理的な（ＰＨＹ）プロトコルデータ単位（ＰＰＤＵ）として送信されてもよい。しかしながら、本開示の実施形態はそのように制限されていない。ＳＣＨＥＤフレーム５００のＭＡＣヘッダ５１０のフィールドは、長さ１５オクテットかもしれない。しかしながら、本開示の実施形態はそのように制限されていない。ＣＴＲＬ０、ＣＴＲＬ１、ＣＴＲＬ２およびＣＴＲＬ３セグメントのプレゼンスおよび長さは、ＳＣＨＥＤ  ＰＰＤＵの信号フィールドで示される。ＣＴＲＬ０の伝送レートは、ＣＴＲＬ１などの伝送レートより低くしてもよく、あるいはしなくてもよい。従って、ＣＴＲＬ０は、ＡＰを備えた微弱な無線リンクを備えるＳＴＡを示してもよく、最大の伝送範囲を許可してもよい。さらに、ＣＴＲＬ３は高レートで送信され、ＡＰへのよい無線リンクで搬送ＳＴＡのための送信時刻を最小限にする。持続フィールド５２０のビット１３−０は、例えばマイクロセカンドにおいてＳＣＡＰの長さを指定してもよい。ＳＣＡＰの持続期間に対するネットワーク割当てベクトル（ＮＡＶ）をセットするために、持続フィールド５２０は、ＭＩＭＯ  ＯＦＤＭ伝送に有能なＳＴＡによって使用される。ＮＡＶはチャンネルが今後忙しくなる時の長さを決定するために利用されてもよい。ＮＡＶは、送信要求（ＲＴＳ）および（または）送ることが明瞭な（ＣＴＳ）フレームによってセットされてもよい。基本サービスセット識別子（ＢＳＳＩＤ）５３０は、局またはＡＰのメディア・アクセス制御（ＭＡＣ）アドレスかもしれない。
【００３７】
図６を参照して、図示は、種々相に従ってＳＣＨＥＤメッセージ６００の別の例である。ＳＣＨＥＤメッセージ６００は、ＳＣＡＰのためのスケジュールを定義する。それぞれ、ＣＴＲＬ０、ＣＴＲＬ１、ＣＴＲＬ２およびＣＴＲＬ３セグメントの各々は、可変長であり、６、１２、１８および２４Ｍｂｐｓで送信されてもよい。多くの割り当てエレメント６１０は各ＣＴＲＬＪセグメントに含まれていてもよい。割り当てエレメント６１０はそれぞれ送信するＳＴＡ関連識別子（ＡＩＤ）、受信ＳＴＡ  ＡＩＤ、スケジュールされたＴＸＯＰの開始時刻および予定されたＴＸＯＰの許された最大長さを指定する。割り当て要素中の送信し受信ＳＴＡの介在物は、ＳＣＡＰに送信するか受信する予定でないＳＴＡで効率的なパワーセーブを許す。既知のＳＴＡがＢＳＳの中にある場合、ＡＰは、例えば、セルフへの既知ＣＴＳのように、ＳＣＡＰを保護するために付加装置を利用してもよい。ＳＣＨＥＤメッセージ６００はさらにフレームチェックシーケンス（ＦＣＳ）６２０を含んでいる。
【００３８】
図７を参照して、図示は、種々実施形態に従って逆方向グラントで利用される場合、ＳＣＡＰ７００の例である。逆方向グラントは、アクセスポイントと局の両方に利用可能かもしれない。さらに、直接リンク（ＤＬ）が２つの局間で確立される場合、逆方向グラントは使用されてもよい。多くの伝送はスケジュール７０２であってもよい。例えば、伝送は、ＡＰからＳＴＡまで（例えば、ＡＴからＳＴＡＢまでの割り当て７０４）、ＡＰからＳＴＡまで（例えば、ＡＴからＳＴＡＣまでの割り当て７０６）、ＳＴＡからＡＰまで（例えば、ＡＴからＳＴＡＥまでの割り当て７０８）スケジュールされてもよい。送信機（例えば、ＡＰ、ＳＴＡ）は、ＴＸＯＰ（例えば、ＡＰからＳＴＡＢＴｘ７１０へ）の中で時間を残したまま、ＴＸＯＰにデータの伝送を終えると仮定すると、送信機は、その間隔中に活発な異種のＳＴＡへのチャンネルへのアクセスを提供すべく、逆方向グラント（例えば、ＲＤＧ７１２）を使用してもよい。したがって、送信するＳＴＡは、受信ＳＴＡへ第１の方向にＲＧＤを送信してもよい。
【００３９】
ＲＤＧに応答して、応答者は、任意のチャネルアクセスを行なう必要なく第２の方向におけるトラフィック（例えば、ＳＴＡＢからＡＰＴｘ７１４へ）を送信するオポーチュニティを持っていてもよい。したがって、チャネルに同時にアクセスする別のＳＴＡを備えた衝突確率は緩和され、別のすべてのＳＴＡを提供し、ＳＣＨＥＤフレームを解読し、それらのＮＡＶを適切にセットする。さらに、応答者は、データと関係するトラフィックを送信することを許される。従って、往復の遅れを減少して、ちょうど受け取られた。より低い往復時間から利益を得ることができるトラフィックの例はＴＣＰ  ＡＣＫＳ、ＶｏＩＰトラヒック、ブロックＡｃｋなどである。
【００４０】
逆方向グラントの多くの変化が熟考される。例えば、送信機は、受信機に逆方向グラントを供給してもよい。別の例によれば、送信機は、受信機および（または）ＡＰ（受信機がＡＰ以外にＳＴＡだったと仮定して）に逆方向グラントを供給してもよい。一層の図示に準ずるので、送信機は任意の第三者ＳＴＡに逆方向グラントを送信してもよい。
【００４１】
ＥＤＣＡを備えた定義されたＲＤＧを行なうために利用された搬送は、導入のしやすさのために単純化されてもよい。例えば、ＥＤＣＡの場合には、下記を使用することができるかもしれない。（１）１ビットはＲＤＧが与えられることを応答者に知らせるために使用されてもよい。（２）３ビットはＱｏＳトラフィックのどのクラスがＲＤＧの中で許されるか応答者に知らせるために使用されてもよい。（３）１ビットは、応答者のレスポンスを終了し、かつ開始剤にＴＸＯＰを戻すために使用されてもよい。ＴＸＯＰでは、それは特定のクラスのＱｏＳトラヒックを従って送信するためには要求されず、ＱｏＳに関連したデータは利用されなくてもよい。さらに、追加情報は使用されてもよい。さらに、各メッセージ・タイプのビットの数は変わってもよい。また、そのビットはアプリケーションであり、依存する。
【００４２】
ＳＣＨＥＤフレーム７１６は、将来の期間の間チャネルにアクセスするのをＳＴＡがどのようにして許されるか定義する。送信機ＳＴＡが送信し始め及び（または）やめる予定である場合、ＳＣＨＥＤフレーム７１６は伝送される。さらに、ＳＣＨＥＤフレーム７１６は、受信機ＳＴＡがいつデータを受信し始めるために稼動し、また、その周期がいつ終了するかを示す。それはＳＴＡのための伝送周期に隣接しているかもしれない。ＳＣＨＥＤフレーム７１６中の送信機または受信機のアドレスが現れないＳＴＡは、省電力を最大限にするためにスリープモードに入ってもよい。セルフ７１８へのクリア・トゥ・センド（ＣＴＳ）は、ＳＣＨＥＤフレーム７１６に関連したＮＡＶをセットするために使用されてもよい。ＣＴＳ（及び（または）ＲＴＳ）７１８は、すべての既知(legacy)ＳＴＡによって解読することができるレートのうちの１つを使用させることができ、データフレーム伝送のための保護を改善するために使用されてもよい。セルフ７１８へのＣＴＳは、ＳＣＨＥＤ７１６および（または）スケジュールされたアクセスピリオド７２０に関連した持続情報を含んでもよい。
【００４３】
従来のスケジュールする運転モードの潜在的な１つの欠点は、割り当てられた伝送持続が過度の場合に、チャネルを浪費する危険である。以前送られたスケジュールは固定し、別のＳＣＨＥＤフレームが送られるまで修正することができない。逆方向グラントの使用なしでは、送信機が割り当てられた時間の間割り当てられた受信機に送るためにトラフィックを使い果たせば、他のＳＴＡはチャネルを使用することができない。また、リソースが浪費される。
【００４４】
逆方向グラントは、送信機が受信機へのスケジュールされた時刻のままであることを提供することを可能にしてもよい。逆方向グラントがＨＣＣＡで使用される場合、ＡＰによって送信された多くのポールは、一部の中で縮小されてもよい。例えば、受信機に受信すべきＳＴＡ２、および送信するべきＳＴＡ２およびＳＴＡ１を備えた別の時間で、ＳＴＡ１が送信するべき時間をスケジュールする代わりに、スケジューラはそれらを一まとめにすることができる。これらの２つのフローの多重化はより単純でより効率的なスケジューリング・アルゴリズムを考慮に入れてもよい。それは評価されることになっている。本開示の実施形態において、これらの例に制限されていない。
【００４５】
図８〜図１０を参照すると、スケジュールされた伝送ピリオドに関して逆方向グラントを利用することに関係のある方法論が例証される。例えば、方法論は、ＦＤＭＡ環境、ＯＦＤＭＡ環境、ＣＤＭＡ環境、ＷＣＤＭＡ環境、ＴＤＭＡ環境、ＳＤＭＡ環境あるいは他の適切なワイヤレス環境に逆方向グラントを費やすことに関係のある場合がある。説明の単純性の目的のために、方法論が示され、一連の行為と評される一方、それは理解されることになっており、いくつかの行為が、異なる注文で、および（または）ここに示され記述されたそれからの他の行為と同時に生じてもよい（１つ以上の実施例に従って）ので、方法論が行為の命令で制限されていないことを認識した。例えば、二者択一で、一連の相互関係があった状態あるいは状態図の中でのようにイベントとして方法論を示すことができるかもしれない。さらに、すべての絵入りの行為は１つ以上の実施形態に従って方法論を導入するために要求されるとは限らなくてもよい。
【００４６】
図８は、１つ以上の実施形態に従って、無線通信システム中の無駄なチャネル帯域幅の量を減らすことを容易にすべくチャネルにアクセスするために割り当てられたタイムピリオド内の逆方向グラントを利用するための方法論８００を例証する。８０２において、多くのタイムピリオドの中で、スケジュールされたチャネルアクセスに利用されるマルチポールフレーム（例えば、ＳＣＨＥＤフレーム）は受信される。例えば、マルチポールフレームは、送信局、受信局、開始時刻および（または）タイムピリオドそれぞれに対するチャネルアクセスの持続期間を示してもよい。続いて、マルチポールフレームは、アクセスポイントによって生成され、異種の局へ送信されてもよい。しかしながら、本開示の実施形態はそのように制限されていない。さらにあるいは、固定ポール、ＳＣＨＥＤフレーム、トークンなどを多くのタイムピリオドに関連した伝送スケジュールに関して使用されてもよい。８０４で、データの通信は、第１の方向におけるスケジュールされたタイムピリオドの個々の項目の間に生じる。マルチポールフレームは、個々の時間に送信機および（または）受信機を識別するために使用されてもよい。したがって、送信機は、マルチポールフレームに従って受信機（第１の方向中の）へデータを送信すべくチャネルをアクセスしてもよい。８０６で、逆方向グラントは、個々のスケジュールされたタイムピリオドの間に送信される。送信機がスケジュールされたタイムピリオドの終了に先立ち、伝送を完了するならば、逆方向グラントは受信機に送信されてもよい。８０８で、逆方向グラントの送信後、第２の方向（例えば、マルチポールフレームによる受信機として示される局から送信機として示される局へ、マルチポールフレームによる受信機として示される局からアクセスポイントへ）から送られるデータは、個々のスケジュールされたタイムピリオドの間に受信される。
【００４７】
図９に変わって、図示は、ここに記述された複数の実施形態に従って通信チャネルへのスケジュールされたアクセスに関して逆方向グラントを提供するための方法論９００である。９０２で、多くのタイムピリオドに対するチャネル伝送をスケジュールするマルチポールフレームは、受信される。マルチポールフレームは、通信チャネルを介して通信する局、及び（または）通信発生時に関する表示を提供してもよい。本開示の実施形態は、マルチポールの使用を制限しないことを理解する。アクセスポイントは、特定のスケジュールされたアクセスピリオドに関連するスケジュールの生産、マルチポールフレームの生成によってマルチポールフレームを得てもよい。さらに、アクセスポイントは、ユーザ端末へマルチポールフレームを送信し、それによって、ユーザ端末がマルチポールフレームを得ることを可能にする。９０４で、データは、スケジュールされたタイムピリオドの間に第１の方向へ送信される。データの送信は、マルチポールフレームに従ってもよい。９０６で、評価は、受信方向グラントを送信するか否かを決定することで実行される。例えば、評価は、スケジュールされたタイムピリオドにおける残り時間の合計および（または）マルチポールフレームの中で示される送信局が伝送を終えたか否かに関してなされる。逆方向グラントが提供されるべきことが決定する場合、９０８で、逆方向グラントはスケジュールされたタイムピリオドの間に第１の方向の受信機へ送信される。９１０で、データは、スケジュールされたタイムピリオドの間に第２の方向における逆方向グラントの受信機から受信される。例に従うと、第２の方向は、オリジナルの受信機からオリジナルの送信機までかもしれない。しかしながら、本開示の実施形態はそのように制限されていない。
【００４８】
図１０を参照して、図示は、種々実施形態に従ってスケジュールされたチャネルアクセスピリオドに関して逆方向グラントを用いるための方法論１０００である。１００２で、多くのタイムピリオドに対するチャネル伝送及び（又は）アクセスをスケジュールするマルチポールフレームは、受信される。１００４で、割り当てられたタイムピリオドの間にスケジュールされた送信機（例えば、マルチポールフレームを介して示される）から第１の方向に通信されるデータは、割り当てられたタイムピリオドの間に受信される。１００６で、逆方向グラントは、割り当てられたタイムピリオドの間にスケジュールされた送信機から受信される。１００８で、評価は、割り当てられたタイムピリオドの残りの少なくとも一部の間、逆方向グラントを用いるか否かを決定すべく実行される。割り付けられたタイムピリオド内の残りの時間の合計が考慮されてもよい。さらにあるいは、送信されることになっている逆方向グラントを得る局に関連したバッファに格納されたデータの量は、評価の一部と見なされてもよい。逆方向グラントが利用されるべきことが決定する場合、１０１０で、データは、割り当てられたタイムピリオドの間、第２の方向における送信機としてスケジュールされた局へ送信される。第２の方向は、第１の方向と反対であってもよい。さらにあるいは、第２の方向は、アクセスポイントへの受信機であるために示された局からであってもよい。しかしながら、本開示の実施形態は、そのような図示に制限されていない。
【００４９】
１つ以上の実施形態に従って、ここに記述した推論は逆方向グラントを送信すること、第２の方向においてデータを送信すべく逆方向グラントを利用することに関して評価される。ここに使用された「推論する」あるいは「推論」という用語は、システムの推論する状態、環境、及び（または）イベント及び（又は）データを介して得られる１セットの観察からのユーザについての推理法を一般に指している。推論は特定の状況あるいは動作を識別するために使用することができるか、あるいは例えば、状態に関する確率分布を生成することができる。推論は可能性、すなわちデータ及びイベントの考察に基づいた興味の状態に関する確率分布の計算でありえる、推論は、さらに、１セットのイベントおよび（または）データからのより高いレベルのイベントを構成するのに使用された技術を指すことができる。そのような推論は、１セットの観察されたイベントから、あるいは格納されたイベント情報、イベントは一時的な隣接の中で関連させられる、また、イベントとデータは１つあるいはいくつかのイベントおよびデータ送信装置から来るか否かから新しいイベントあるいはアクションの構築に貢献する。
【００５０】
例によれば、１つ以上の方法が上に示したデータの伝送などに逆方向グラントを使用することが与える場合に、いつ逆方向グラントを送信するべきかに関する推論を含むことができる。例えば、受信局にデータを送信する局に対し割り付けられたタイムピリオドにおいて残っている時間で、逆方向グラントは受信されてもよい。受信局で逆方向グラントを受信する際、推論は、受信局が割り付けられたタイムピリオドの終了に先立ってすべてあるいはアクセスチャネル上のデータのある一部を送信することができるであろうことに関して作られる。先の例が本来の実例となり、作ることができる推論の数、あるいは様々な実施例および（または）ここに記述された方法と共にそのような推論が作られる方法を制限するようには意図されないことが認識されるだろう。
【００５１】
図１１は、ここに述べられた１つ以上の実施形態に従ってスケジュールされたチャネルアクセスピリオドに関連した逆方向グラントを生成し、及び（または）利用することを容易にするユーザ装置１１００の実例である。ユーザ装置１０００は、例えば受信アンテナ（示されない）から信号を受信し、受信信号の典型的な処理（例えば、フィルタリング、増幅、ダウンコンバートなど）を実行し、またサンプルを得るべく条件つきの信号をデジタル化する。受信機１１０２は、例えばＭＭＳＥ受信機であり、受信シンボルを復調してチャネル推定用のプロセッサ１１０６へ供給することができる復調器１１０４を備えることができる。プロセッサ１１０６は、受信機１００２による受信情報の分析および（または）送信機１１１６による伝送情報の生成を実行する専用のプロセッサ、ユーザ装置１１００の１つ以上のコンポーネントを制御するプロセッサ、及び（または）受信機１００２による受信情報の分析し、送信機１１１６による伝送情報を生成し、ユーザ装置１１００の１つ以上のコンポーネントを制御するプロセッサである。
【００５２】
ユーザ装置１１００は、プロセッサ１１０６に効果的に接続され、様々な図に関してここに記述されるような無線通信システムにおいて不要の通信チャネルの緩和のために、様々なタイムピリオド、送信機１１１６によって送信されるデータ、マルチポールおよび他の適切な情報のためのチャネル・アクセス・スケジュールに関連する情報を格納するメモリ１１０８をさらに備えることができる。メモリ１１０８は、逆方向グラント（例えば、実行ベース、キャパシティベースなど）の提供及び（または）利用に関連したプロトコルをさらに格納することができる。そのようなユーザ装置１１００は、ここに記述されるように通信が第１の方向で発生している間における割り当てられたタイムピリオドの間に、第２の方向への通信を可能にすべく逆方向グラントの生成及び（または）利用に関する格納されたプロトコル及び（または）アルゴリズムを用いることができる。
【００５３】
ここに記述されたデータ・ストア（例えばメモリ）コンポーネントが揮発性メモリか不揮発性メモリのいずれかになりえるか、揮発性・不揮発性メモリの両方を含むことができることは認識されるだろう。あくまでも図示では、不揮発性メモリは読み出し専用メモリ（ＲＯＭ）、プログラマブルＲＯＭ（ＰＲＯＭ）、ＥＰＲＯＭ（ＥＰＲＯＭ）、ＥＥＲＯＭ（ＥＥＰＲＯＭ）あるいはフラッシュ・メモリを含むことができる。揮発性メモリはランダムアクセスメモリ（ＲＡＭ）を含むことができる。それは、外部キャッシュメモリの役割をする。あくまでも図示では、ＲＡＭは同時のＲＡＭ（ＳＲＡＭ）のような多くの形態で利用可能である、ダイナミックＲＡＭ（ＤＲＡＭ）（シンクロナスＤＲＡＭ（ＳＤＲＡＭ））、２重データレートＳＤＲＡＭ（ＤＤＲ  ＳＤＲＡＭ）、ＳＤＲＡＭ（ＥＳＤＲＡＭ）、同期リンクＤＲＡＭ（ＳＬＤＲＡＭ）およびダイレクト・ラムバス・ＲＡＭ（ＤＲＲＡＭ（登録商標））を増強した。目的のシステムおよび方法のメモリ１００８は、これらに限定されることなく、他の適切なタイプのメモリを含むように意図される。
【００５４】
受信機１１０２は、ユーザ装置１１００が通信チャネルを介してデータを受信及び（または）送信する時間を決定すべく、さらに受信スケジュール（例えば、マルチポールフレーム、ＳＣＨＥＤフレームなど）を利用するチャネルアクセス識別子１１１０を接続可能である。チャネルアクセス識別子１１１０は、さらに通信チャネルを介してデータを送信すべくユーザ装置１１００を有効設定する受信逆方向グラントを利用してもよい。ユーザ装置１１００がデータを受信及び（または）送信するようにスケジュールされていない時間の間、ユーザ装置１１００は消費電力低減へのスリープモードに入ってもよい。ユーザ装置１１１０が割り付けられた持続期間の終了に先立ってスケジュールされた時間に伝送を完了するとき、チャネルアクセス識別子１１１０は、さらに、逆方向グラントを提供してもよい逆方向グラント（ＲＤＧ）生成器１１１２に連結される。逆方向グラントはチャネルにアクセスするために異種の装置によって利用されてもよい。例えば、逆方向グラントは、ユーザ装置１１００によって送信されたデータを受信している局によって使用されてもよい。その後、受信局は、通信チャネル上にデータを送信すべく逆方向グラントを利用してもよい。ユーザ装置１１００は、またさらに変調器１１１４、および例えばアクセスポイント、別のユーザ装置などへ信号を送信する送信機１１１６を備える。プロセッサ１１０６と離れているとして描かれたが、チャネルアクセス識別子１１１０、ＲＤＧ生成器１１１２および（または）変調器１１１４がプロセッサ１１０６の一部あるいは多くのプロセッサ（示されない）かもしれないことが認識されることになっている。
【００５５】
図１２は、チャネルアクセスをスケジュールし及び（または）種々の実施形態に従って不要のチャネル帯域幅を縮小する逆方向許可の利用を容易にするシステム１２００の実例である。システム１２００は、１台以上のユーザ装置１２０４から複数の受信アンテナ１２０６まで信号を受信する受信機１２１０と、アクセスポイント１２０２及び送信アンテナ１２０８を介して１台以上のユーザ装置１２０４に送信する送信機１２２４とを備えている。受信機１２１０は、受信アンテナ１２０６から情報を得ることができ、受信情報を復調する復調器１２１２に効果的に関係している。復調されたシンボルは、図１１に関して上に記述されたプロセッサに似ているかもしれないプロセッサ１２１４によって分析される。また、プロセッサ１２１４は、スケジューリングデータ、ユーザ装置１２０４に送信されるデータおよび（または）ここに記述されるような様々な動作及び機能を実行すべく関連した他の適切な情報に関連する情報を格納するメモリ１２１６につながれる。プロセッサ１２１４は、チャネルアクセスのためのスケジュールを生成するスケジューラ１２１８にさらにつながれる。例えば、スケジューラ１２１８は、多くのポールを含んでいるマルチポールを生成してもよい。また、ポールの各々は、個々の伝送のための開始時刻、伝送のための持続期間、データを送信する特定の局および（または）データを受信する特定の局を示してもよい。スケジューラ１２１８は、ユーザ装置１２０４への伝送用プロセッサ１２１４によって生成された信号へのスケジュール（例えば、マルチポール）と関係する情報をアペンドしてもよい。変調器１２２４は、ユーザ装置１２０４に対し送信アンテナ１２０８を介して送信機１２２６による伝送のための信号を多重化することができる。
【００５６】
さらに、プロセッサ１２１４は、アクセスポイント１２０２が通信チャネルを介してデータを受信及び（または）送信する時間を決定するチャネルアクセス識別子１２２０につながれてもよい。チャネルアクセス識別子１２２０は、アクセス時間を決定すべく、スケジューラ１２１８によって提供されるスケジュール（例えば、マルチポールフレーム、ＳＣＨＥＤフレーム）を利用してもよい。さらにあるいは、チャネルアクセス識別子１２２０は、送信機への現在のスケジュールされたタイムピリオドの間に、受信機からアクセスポイント１２０２を切り替える受信逆方向グラントを使用してもよい。チャネルアクセス識別子１２２０は、さらに、アクセスポイント１２０２が通信チャネルを介してデータを送信しており、割り付けられた持続期間の終了に先立ってスケジュールされた時間に伝送を完了するとき、逆方向グラントを送信するべきかどうか評価する逆方向グラント生成器１２２２に連結される。逆方向グラントが提供されるべきであると逆方向グラント生成器１２２２が識別する場合、この情報は、ユーザ装置１２０４への伝送用プロセッサ１２１４によって生成された信号にアペンドされ、変調器１２２４によって多重化され、送信機１２２６によって送信されてもよい。プロセッサ１２１４と離れているとして描かれたが、スケジューラ１２１８、チャネルアクセス識別子１２２０、逆方向グラント生成器１２２２および（または）変調器１２２４がプロセッサ１２１４の一部あるいは多くのプロセッサ（示されない）かもしれないことが認識されることになっている。
【００５７】
図１３は典型的な無線通信システム１３００を示している。無線通信システム１３００は、簡潔さの目的のための１つのアクセスポイントおよび１つの端末を図示する。しかしながら、システムが１以上のアクセスポイントおよび（または）１以上の端末（そこでは追加のアクセスポイントおよび（または）端末は、下記に述べられた典型的なアクセスポイントおよび端末と本質的に類似しているかもしれないか異なっているかもしれない）を含むことができることは認識されることになっている。さらに、アクセスポイントおよび（または）端末がこれらの間の無線通信を容易にすべくここに記述されたシステム（図１及び図２、図１１及び図１２）及び（又は）方法（図８乃至図１０）を使用することができることは認識されることになっている。
【００５８】
今、図１３に示すように、ダウンリンクにおいて、アクセスポイント１３０５では、送信（ＴＸ）データプロセッサ１３１０がトラフィックデータを受信し、フォーマット変換、コード化、インターリーブ処理、変調し（あるいはシンボルマッピング）、変調シンボル（データシンボル）を提供する。シンボル変調器１３１５はデータシンボルとパイロットシンボルを受信処理し、シンボルストリームを提供する。シンボル変調器１３１５はデータとパイロットシンボルを多重化し、送信部（ＴＭＴＲ）１３２０にそれらを供給する。送信シンボルはそれぞれ、データシンボル、パイロットシンボルあるいは零点の信号値かもしれない。パイロットシンボルは、各シンボル期間中で連続的に送られてもよい。パイロットシンボルは、周波数分割多重（ＦＤＭ）、直交周波数分割多重（ＯＦＤＭ）、時分割多重（ＴＤＭ）、周波数分割多重（ＦＤＭ）あるいは符号分割多重（ＣＤＭ）になりえる。
【００５９】
ＴＭＴＲ１３２０は、シンボルストリームを受信して１つ以上のアナログ信号に変換し、さらに無線チャネル上の伝送に最適なダウンリンク信号を生成するべく、アナログ信号を処理（例えば、増幅、フィルタリング、周波数アップコンバート）する。その後、ダウンリンク信号は、端末へアンテナ１３２５を介して送信される。端末１３３０において、アンテナ１３３５はダウンリンク信号を受け取り、受信部（ＲＣＶＲ）１３４０に受信信号を供給する。受信部１３４０は、受信信号を処理（例えば、フィルタリング、増幅、及び周波数ダウンコンバート）し、またサンプルを得るべく処理が施された信号をデジタル化する。シンボル復調器１３４５は、受信パイロットシンボルを復調しチャネル推定用のプロセッサ１３５０へ提供する。シンボル復調器１３４５は、さらに、プロセッサ１３５０からのダウンリンクのための周波数レスポンス推定値を受信し、データシンボル推定値（それらは送信されたデータシンボルの推定値である）を得るために、受信データシンボルの復調処理を実行し、ＲＸデータプロセッサ１３５５にデータシンボル推定値を供給する。ＲＸデータプロセッサ１３５５は、送信されたトラフィックデータを回復するために、データシンボル推定値を復調（例えばシンボルデマッピング）し、デインターリーブし、デコードする。シンボル復調器１３４５およびＲＸデータプロセッサ１３５５による処理は、アクセスポイント１３０５で、シンボル変調器１３１５およびＴＸデータプロセッサ１３１０による処理と同様である。
【００６０】
アップリンクにおいては、ＴＸデータプロセッサ１３６０がトラフィックデータを処理し、データシンボルを提供する。シンボル変調器１３６５は、パイロットシンボル及びデータシンボルを受信して多重化し、変調を行ない、シンボルストリームを提供する。その後、送信部１３７０は、アップリンク信号を生成するためにシンボルストリームを受信処理する。それはアクセスポイント１３０５へアンテナ１３３５によって送信される。
【００６１】
アクセスポイント１３０５において、端末１３３０からのアップリンク信号はアンテナ１３２５によって受信され、サンプルを得るために受信部１３７５によって処理される。その後、シンボル復調器１３８０はサンプルを処理し、アップリンクに受信パイロットシンボルおよびデータシンボル推定値を供給する。ＲＸデータプロセッサ１３８５は、端末１３３０によって送信されたトラフィックデータを回復するためにデータシンボル推定値を処理する。プロセッサ１３９０は、アップリンク上で送信する各アクティブ端末のチャネル推定を行なう。パイロットサブキャリアセットが組み合わせられてもよい場合、多数の端末は、パイロットサブキャリアのそれぞれの割り当てられたセット上のアップリンク上でパイロットを同時に送信してもよい。
【００６２】
プロセッサ１３９０および１３５０は、それぞれアクセスポイント１３０５および端末１３３０において直接の処理（例えば、コントロール、調整、管理するなど）を実行する。それぞれのプロセッサ１３９０および１３５０は、プログラム・コードおよびデータを格納する記憶素子（示されない）に関係しているかもしれない。プロセッサ１３９０および１３５０は、さらにアップリンクとダウンリンクのための頻度とインパルス応答推定値を引き出すためにそれぞれ計算を行なうことができる。
【００６３】
多重アクセスシステム（例えばＦＤＭＡ、ＯＦＤＭＡ、ＣＤＭＡ、ＴＤＭＡなど）については、多数の端末は、アップリンク上で同時に送信することができる。そのようなシステムについては、パイロットサブキャリアは様々な端末の中で共有されてもよい。チャネル推定技術は、所要の帯域全体（帯域端を除く）の中の個々の端末のスパンのパイロットサブキャリアの場合にも適用されてもよい。そのようなパイロットサブキャリア構造は各端末用に周波数ダイバーシティを得るのに望ましいだろう。ここに記述された技術は、様々な手段によって導入されてもよい。例えば、これらの技術は、ハードウェア、ソフトウェアあるいはそれの組み合わせの中で導入されてもよい。ハードウェアの導入に対し、チャネル推定に使用されたプロセッサは、１つ以上の特定用途向け集積回路（ＡＳＩＣ）、デジタルシグナルプロセッサー（ＤＳＰ）、デジタル信号処理装置（ＤＳＰＤ）、プログラム可能論理回路（ＰＬＤ）、フィールドプログラマブルゲートアレイ（ＦＰＧＡ）、プロセッサ、コントローラ、マイクロ・コントローラ（マイクロプロセッサ）、ここに記述された機能を実行する他の電子ユニット、あるいはそれらの組み合わせで導入されてもよい。ソフトウェアにおいて、導入は、ここに記述された機能を実行するモジュール（例えば手順、機能など）を介して行われる場合がある。ソフトウェア・コードは記憶素子に格納され、プロセッサ１３９０および１３５０によって実行されてもよい。
【００６４】
ソフトウェア導入について、ここに記述された技術は、ここに記述された機能を実行するモジュール（例えば手順、機能など）を介して導入されてもよい。ソフトウェア・コードは記憶素子に格納され、プロセッサによって実行されてもよい。記憶素子はプロセッサ内に導入され、その場合には、技術中で知られているようにそれを、通信で様々な手段によってプロセッサあるいはプロセッサ外部につなぐかもしれない。
【００６５】
上述されたものは、１つ以上の実施形態の例を含んでいる。それは、前述の実施形態について記述する目的のためのコンポーネントか方法論のすべて考えられる組み合わせおよび多くのさらなる組み合わせについてもちろん記述することができる。また、様々な実施形態の置換は可能である。従って、記述された実施形態は、アペンドされた請求項の精神および範囲以内にあるような変更、改良および変化をすべて包含するように意図される。用語が「includes」という程度まで、更に、詳細な説明または請求項のいずれかの中で使用される。そのような用語は、請求項で遷移性のワードとして使用されたときに解釈される「comprising」としての用語「comprising」として包括的に使用されるように意図される。
以下に、本願出願の当初の特許請求の範囲に記載された発明を付記する。
［１］  伝送オポーチュニティ(opportunities)に関連したタイムピリオド(time periods)の数に対する伝送をスケジュールするマルチポールフレームを受信することと、
前記マルチポールフレームに従って第１の方向における特定の伝送オポーチュニティに関連しスケジュールされたタイムピリオドのうち特定のタイムピリオドの間にデータを通信することと、
前記第１の方向における特定の伝送オポーチュニティに関連した特定のスケジュールタイムピリオドの間に、データを送信すべく受信機を有効にする逆方向グラントを送信することと、
前記特定の伝送オポーチュニティに関連した特定のスケジュールタイムピリオドの間に第２の方向と通信されるデータを受信することとを備える無線通信の方法。
［２］  前記第１の方向は局へである［１］の方法。
［３］  前記第１の方向は局からである［１］の方法。
［４］  前記第１の方向は前記第２の方向と反対である［１］の方法。
［５］  さらに、逆方向グラントを送信するか否かを判断することを備える［１］の方法。
［６］  さらに、前記特定の伝送オポーチュニティに関連した前記特定のスケジュールタイムピリオドにおいて残りの時間の合計を決定することを備える［５］の方法。
［７］  さらに、関連した伝送が終了した前記マルチポールフレーム中の送信機であることを示す局であるかを決定することを備える［５］の方法。
［８］  前記特定の伝送オポーチュニティに関連した前記特定のスケジュールタイムピリオドの残りのタイムピリオドの少なくとも一部の間に、受信された逆方向グラントを用いるか否かを判断することを備える［１］の方法。
［９］  さらに、前記特定のスケジュールタイムピリオドにおいて残りの時間の合計、及びチャネルアクセスを得る第２の方向において送信されたデータの合計の少なくとも１つを判断することを備える［８］の方法。
［１０］  さらに、タイムピリオドの数のそれぞれに対し、該当する伝送オポーチュニティに関連し、送信局の識別、受信局の識別、開始時間、継続期間の少なくとも１つを含む情報を示すフレームである前記マルチポールフレームを生成することを備える［１］の方法。
［１１］  前記マルチポールフレームは、ＳＣＨＥＤフレームである［１］の方法。
［１２］  無線通信システムにおいて逆方向グラントの利用を促進する装置であって、
チャネルにアクセスすることに関係した少なくとも１つの伝送オポーチュニティに関連した情報を格納するメモリと、
前記メモリに接続され、前記装置から送信された情報に基づき、前記情報に従い前記装置に割り当てられた伝送オポーチュニティの間に逆方向グラントを送信するプロセッサとを備える装置。
［１３］  前記プロセッサは、さらに、データを受信及び送信の少なくとも１つを行う装置における時間を決定すべくチャネルアクセス識別子を利用する［１２］の装置。
［１４］  前記プロセッサは、さらに、前記装置を少なくとも１つの他］の装置に同期させるべく前記チャネルアクセス識別子を利用する［１３］の装置。
［１５］  前記プロセッサは、さらに、受信機及び送信機の少なくとも１つに識別されない装置において、スリープモードで作動すべくチャネルアクセス識別子を利用する［１３］の装置。
［１６］  前記プロセッサは、受信した逆方向グラントを利用し、現時点の伝送オポーチュニティにおける受信データから現時点の伝送オポーチュニティにおける送信データへ前記装置を変更することを備える［１３］の装置。
［１７］  前記プロセッサは、さらに、現時点の伝送オポーチュニティにおける残りの時間の合計、及び前記装置により送信されるデータの合計の少なくとも１以上に基づいて、前記逆方向グラントを利用するか否か、前記受信データから送信データへ前記装置を変更するか否かを決定することを備える［１６］の装置。
［１８］  前記プロセッサは、前記装置が割り当てられた継続時間の終了に先立ち、前記伝送オポーチュニティの間に送信を完了する時、前記逆方向グラントを提供することをさらに備える［１２］の装置。
［１９］  前記プロセッサは、前記伝送オポーチュニティにおける残りの時間の合計の少なくとも一部分に基づいて逆方向グラントを送信するか否かを決定することをさらに備える［１８］の装置。
［２０］  スケジュールに従い第１の方向における特定の伝送オポーチュニティの間に通信されるデータを受信する手段と、
前記第１の方向における前記特定の伝送オポーチュニティの間に逆方向グラントを受信する手段と、
前記受信した逆方向グラントを用いることにより前記特定の伝送オポーチュニティの間に第２の方向へデータを送信する手段とを備える無線通信装置。
［２１］  前記装置が通信チャネルを介してデータを受信及び送信の少なくとも１つをスケジュールする時間を識別する手段をさらに備える［２０］の装置。
［２２］  前記装置を異種の装置に同期させる手段をさらに備える［２１］の装置。
［２３］  前記装置が通信チャネルを介して通信していないとき、伝送オポーチュニティの間、電力消費を減らすスリープモードを用いるよう装置を動作可能にする手段をさらに備える［２１］の装置。
［２４］  前記特定の伝送オポーチュニティの残りの少なくとも一部の間に、受信した逆方向グラントを用いるか否かを決定する手段をさらに備える［２０］の装置。
［２５］  コンピュータが、
チャネルアクセスに対するスケジュールに従って第１の方向における伝送オポーチュニティの間にデータを通信し、
逆方向グラントを送信するか否かを判断し、
前記伝送オポーチュニティの間に前記第１の方向における受信機に対し逆方向グラントを送信し、
前記伝送オポーチュニティの間に第２の方向における前記逆方向グラントの受信機からデータを受信することができる指示を格納するコンピュータ読取可能媒体。
［２６］  異種の装置へのチャネルアクセスを割り当てる伝送オポーチュニティの間にスリープモードを用いる指示をさらに格納する［２５］のコンピュータ読取可能媒体。
［２７］  複数のタイムピリオドのそれぞれに対し該当する伝送オポーチュニティに関連する送信機、受信機、開始時間、継続期間の少なくとも１つに関連されるデータを備えるフレームを含むマルチポールフレームを生成することにより、多くの伝送オポーチュニティをスケジュールする指示をさらに備える［２５］のコンピュータ読取可能媒体。
［２８］  トークン(token)が渡されるオーダー（order）を生成することにより、多くの伝送オポーチュニティをスケジュールする指示をさらに備える［２５］のコンピュータ読取可能媒体。
［２９］  前記スケジュールにより送信機として示される関連した局を識別する指示をさらに備える［２５］のコンピュータ読取可能媒体。
【図１】
0005646578.tif 000002
【図２】
0005646578.tif 000003
【図３】
0005646578.tif 000004
【図４】
0005646578.tif 000005
【図５】
0005646578.tif 000006
【図６】
0005646578.tif 000007
【図７】
0005646578.tif 000008
【図８】
0005646578.tif 000009
【図９】
0005646578.tif 000010
【図１０】
0005646578.tif 000011
【図１１】
0005646578.tif 000012
【図１２】
0005646578.tif 000013
【図１３】
0005646578.tif 000014